【手続補正書】
【提出日】平成18年6月2日(2006.6.2)
【手続補正１】
【補正対象書類名】明細書
【補正対象項目名】特許請求の範囲
【補正方法】変更
【補正の内容】
【特許請求の範囲】
【請求項１】紙サイズ剤、及び約２０００００以下の粘度平均分子量を有する少なくとも１種の疎水変性された水溶性ポリマーを含む紙サイズ組成物。
【請求項２】疎水変性された水溶性ポリマーが約３００００以下の粘度平均分子量を有する、請求項１に記載の組成物。
【請求項３】疎水変性された水溶性ポリマーが疎水変性セルロースエーテルである、請求項１に記載の組成物。
【請求項４】水溶性ポリマーの疎水変性が少なくとも約８の炭素原子の少なくとも１つのアルキル側基を含む、請求項１に記載の組成物。
【請求項５】セルロースエーテルが少なくとも約２．０の置換度を有する、請求項３に記載の組成物。
【請求項６】サイズ剤が反応性サイズ剤を含む、請求項１に記載の組成物。
【請求項７】反応性サイズ剤が、アルキルケテンダイマー、アルケニルコハク酸無水物、アルケニルケテンダイマー及びケテンマルチマーより成る群から選択される、請求項６に記載の組成物。
【請求項８】反応性サイズ剤がアルケニルケテンダイマーを含む、請求項７に記載の組成物。
【請求項９】サイズ剤が非反応性サイズ剤を含む、請求項１に記載の組成物。
【請求項１０】サイズ剤が、ポリマーエマルジョンサイズ剤及びロジンサイズ剤より成る群から選択される、請求項９に記載の組成物。
【請求項１１】さらに塩を含む、請求項１に記載の組成物。
【請求項１２】サイズプレスにおいてまたはその近傍で紙に請求項１に記載の組成物を添加することを含む、紙を処理する方法。
【請求項１３】請求項１に記載の組成物を含む紙。
【請求項１４】疎水変性された水溶性ポリマーが約１０００００以下の粘度平均分子量を有する、請求項１３に記載の紙。
【請求項１５】疎水変性された水溶性ポリマーが少なくとも約２００００の粘度平均分子量を有する、請求項１３に記載の紙。
【請求項１６】疎水変性された水溶性ポリマーが疎水変性セルロースエーテルである、請求項１３に記載の紙。
【請求項１７】セルロースエーテルが実質的に非イオン性である、請求項１６に記載の紙。
【請求項１８】セルロースエーテルが、メチルセルロース、ヒドロキシプロピルセルロース、ヒドロキシプロピルメチルセルロース、ヒドロキシエチルセルロース、及びエチルヒドロキシエチルセルロースより成る群から選択される、請求項１６に記載の紙。
【請求項１９】セルロースエーテルがヒドロキシエチルセルロースである、請求項１８に記載の紙。
【請求項２０】水溶性ポリマーの疎水変性が少なくとも約８の炭素原子の少なくとも１つのアルキル側基を含む、請求項１３に記載の紙。
【請求項２１】水溶性ポリマーの疎水変性が少なくとも約１０の炭素原子の少なくとも１つのアルキル側基を含む、請求項１３に記載の紙。
【請求項２２】水溶性ポリマーの疎水変性が約２２以下の炭素原子の少なくとも１つのアルキル側基を含む、請求項１３に記載の紙。
【手続補正２】
【補正対象書類名】明細書
【補正対象項目名】００８６
【補正方法】変更
【補正の内容】
【００８６】
ここに記述されたものに加えて、本発明の種々の修正は、これまでの説明から本技術の当業者には明らかである。そのような修正も特許請求の範囲の範囲内にあると意図される。
［本発明の態様］
［１］紙サイズ剤、及び約２０００００以下の粘度平均分子量を有する少なくとも１種の疎水変性された水溶性ポリマーを含む紙サイズ組成物。
［２］疎水変性された水溶性ポリマーが約１０００００以下の粘度平均分子量を有する、１に記載の組成物。
［３］疎水変性された水溶性ポリマーが約５００００以下の粘度平均分子量を有する、１に記載の組成物。
［４］疎水変性された水溶性ポリマーが約２００００以下の粘度平均分子量を有する、１に記載の組成物。
［５］疎水変性された水溶性ポリマーが約３００００以下の粘度平均分子量を有する、１に記載の組成物。
［６］疎水変性された水溶性ポリマーが約３００００〜約５００００の粘度平均分子量を有する、４に記載の組成物。
［７］疎水変性された水溶性ポリマーが疎水変性セルロースエーテルである、１に記載の組成物。
［８］セルロースエーテルが実質的に非イオン性である、７に記載の組成物。
［９］セルロースエーテルが、メチルセルロース、ヒドロキシプロピルセルロース、ヒドロキシプロピルメチルセルロース、ヒドロキシエチルセルロース、及びエチルヒドロキシエチルセルロースより成る群から選択される、７に記載の組成物。
［１０］セルロースエーテルがヒドロキシエチルセルロースである、８に記載の組成物。
［１１］水溶性ポリマーの疎水変性が少なくとも約８の炭素原子の少なくとも１つのアルキル側基を含む、１に記載の組成物。
［１２］水溶性ポリマーの疎水変性が少なくとも約１０の炭素原子の少なくとも１つのアルキル側基を含む、１に記載の組成物。
［１３］水溶性ポリマーの疎水変性が少なくとも約１２の炭素原子の少なくとも１つのアルキル側基を含む、１に記載の組成物。
［１４］水溶性ポリマーの疎水変性が少なくとも約１４の炭素原子の少なくとも１つのアルキル側基を含む、１に記載の組成物。
［１５］水溶性ポリマーの疎水変性が少なくとも約１５の炭素原子の少なくとも１つのアルキル側基を含む、１に記載の組成物。
［１６］水溶性ポリマーの疎水変性が１５又は１６の炭素原子の少なくとも１つのアルキル側基を含む、１に記載の組成物。
［１７］水溶性ポリマーの疎水変性が約２４以下の炭素原子の少なくとも１つのアルキル側基を含む、１に記載の組成物。
［１８］水溶性ポリマーの疎水変性が約２２以下の炭素原子の少なくとも１つのアルキル側基を含む、１に記載の組成物。
［１９］水溶性ポリマーの疎水変性が約２０以下の炭素原子の少なくとも１つのアルキル側基を含む、１に記載の組成物。
［２０］水溶性ポリマーの疎水変性が約１８以下の炭素原子の少なくとも１つのアルキル側基を含む、１に記載の組成物。
［２１］セルロースエーテルが少なくとも約２．０の置換度を有する、７に記載の組成物。
［２２］セルロースエーテルが少なくとも約３．０の置換度を有する、７に記載の組成物。
［２３］セルロースエーテルが少なくとも約３．５〜約３．６の置換度を有する、７に記載の組成物。
［２４］組成物が実質的に均一な分散物の形態である、１に記載の組成物。
［２５］サイズ剤が反応性サイズ剤を含む、１に記載の組成物。
［２６］反応性サイズ剤が、アルキルケテンダイマー、アルケニルコハク酸無水物、アルケニルケテンダイマー及びケテンマルチマーより成る群から選択される、１に記載の組成物。
［２７］サイズ剤が液体である、１に記載の組成物。
［２８］反応性サイズ剤がアルケニルケテンダイマーを含む、２３に記載の組成物。
［２９］サイズ剤が非反応性サイズ剤を含む、１に記載の組成物。
［３０］少なくとも１種の反応性サイズ剤及び少なくとも１種の非反応性サイズ剤を含む、１に記載の組成物。
［３１］サイズ剤が、ポリマーエマルジョンサイズ剤及びロジンサイズ剤より成る群から選択される、２９に記載の組成物。
［３２］さらに塩を含む、１に記載の組成物。
［３３］塩が、カルシウム、マグネシウム及びバリウムの各ハロゲン化物より成る群から選択される、３２に記載の組成物。
［３４］塩が、塩化カルシウム、塩化マグネシウム、臭化マグネシウム、臭化カルシウム、硝酸カルシウム、硝酸マグネシウム、酢酸カルシウム及び酢酸マグネシウムより成る群から選択される、３３に記載の組成物。
［３５］サイズプレスにおいてまたはその近傍で紙に１に記載の組成物を添加することを含む、紙を処理する方法。
［３６］疎水変性された水溶性ポリマーが約１０００００以下の粘度平均分子量を有する、３５に記載の方法。
［３７］疎水変性された水溶性ポリマーが約５００００以下の粘度平均分子量を有する、３５に記載の方法。
［３８］疎水変性された水溶性ポリマーが少なくとも約２００００の粘度平均分子量を有する、３５に記載の方法。
［３９］疎水変性された水溶性ポリマーが少なくとも約３００００の粘度平均分子量を有する、３５に記載の方法。
［４０］疎水変性された水溶性ポリマーが約３００００〜約５００００の粘度平均分子量を有する、３５に記載の方法。
［４１］疎水変性された水溶性ポリマーが疎水変性セルロースエーテルである、３５に記載の組成物。
［４２］疎水変性セルロースエーテルが実質的に非イオン性である、４１に記載の方法。
［４３］セルロースエーテルが、メチルセルロース、ヒドロキシプロピルセルロース、ヒドロキシプロピルメチルセルロース、ヒドロキシエチルセルロース、及びエチルヒドロキシエチルセルロースより成る群から選択される、４１に記載の方法。
［４４］セルロースエーテルがヒドロキシエチルセルロースである、４１に記載の方法。
［４５］水溶性ポリマーの疎水変性が少なくとも約８の炭素原子の少なくとも１つのアルキル側基を含む、３５に記載の方法。
［４６］水溶性ポリマーの疎水変性が少なくとも約１０の炭素原子の少なくとも１つのアルキル側基を含む、３５に記載の方法。
［４７］水溶性ポリマーの疎水変性が少なくとも約１２の炭素原子の少なくとも１つのアルキル側基を含む、３５に記載の方法。
［４８］水溶性ポリマーの疎水変性が少なくとも約１４の炭素原子の少なくとも１つのアルキル側基を含む、３５に記載の方法。
［４９］水溶性ポリマーの疎水変性が少なくとも約１５の炭素原子の少なくとも１つのアルキル側基を含む、３５に記載の方法。
［５０］水溶性ポリマーの疎水変性が１５又は１６の炭素原子の少なくとも１つのアルキル側基を含む、３５に記載の方法。
［５１］水溶性ポリマーの疎水変性が約２４以下の炭素原子の少なくとも１つのアルキル側基を含む、３５に記載の方法。
［５２］水溶性ポリマーの疎水変性が約２２以下の炭素原子の少なくとも１つのアルキル側基を含む、３５に記載の方法。
［５３］水溶性ポリマーの疎水変性が約２０以下の炭素原子の少なくとも１つのアルキル側基を含む、３５に記載の方法。
［５４］水溶性ポリマーの疎水変性が約１８以下の炭素原子の少なくとも１つのアルキル側基を含む、３５に記載の方法。
［５５］セルロースエーテルが少なくとも約２．０の置換度を有する、４１に記載の方法。
［５６］セルロースエーテルが少なくとも約３．０の置換度を有する、４１に記載の方法。
［５７］セルロースエーテルが少なくとも約３．５〜約３．６の置換度を有する、４１に記載の方法。
［５８］１に記載の組成物を含む紙。
［５９］疎水変性された水溶性ポリマーが約１０００００以下の粘度平均分子量を有する、５８に記載の紙。
［６０］疎水変性された水溶性ポリマーが約５００００以下の粘度平均分子量を有する、５８に記載の紙。
［６１］疎水変性された水溶性ポリマーが少なくとも約２００００の粘度平均分子量を有する、５８に記載の紙。
［６２］疎水変性された水溶性ポリマーが少なくとも約３００００の粘度平均分子量を有する、５８に記載の紙。
［６３］疎水変性された水溶性ポリマーが約３００００〜約５００００の粘度平均分子量を有する、６２に記載の紙。
［６４］疎水変性された水溶性ポリマーが疎水変性セルロースエーテルである、５８に記載の紙。
［６５］セルロースエーテルが実質的に非イオン性である、６４に記載の紙。
［６６］セルロースエーテルが、メチルセルロース、ヒドロキシプロピルセルロース、ヒドロキシプロピルメチルセルロース、ヒドロキシエチルセルロース、及びエチルヒドロキシエチルセルロースより成る群から選択される、６４に記載の紙。
［６７］セルロースエーテルがヒドロキシエチルセルロースである、６６に記載の紙。
［６８］水溶性ポリマーの疎水変性が少なくとも約８の炭素原子の少なくとも１つのアルキル側基を含む、５８に記載の紙。
［６９］水溶性ポリマーの疎水変性が少なくとも約１０の炭素原子の少なくとも１つのアルキル側基を含む、５８に記載の紙。
［７０］水溶性ポリマーの疎水変性が少なくとも約１２の炭素原子の少なくとも１つのアルキル側基を含む、５８に記載の紙。
［７１］水溶性ポリマーの疎水変性が少なくとも約１４の炭素原子の少なくとも１つのアルキル側基を含む、５８に記載の紙。
［７２］水溶性ポリマーの疎水変性が少なくとも約１５の炭素原子の少なくとも１つのアルキル側基を含む、５８に記載の紙。
［７３］水溶性ポリマーの疎水変性が１５又は１６の炭素原子の少なくとも１つのアルキル側基を含む、５８に記載の紙。
［７４］水溶性ポリマーの疎水変性が約２４以下の炭素原子の少なくとも１つのアルキル側基を含む、５８に記載の紙。
［７５］水溶性ポリマーの疎水変性が約２２以下の炭素原子の少なくとも１つのアルキル側基を含む、５８に記載の紙。
［７６］水溶性ポリマーの疎水変性が約２０以下の炭素原子の少なくとも１つのアルキル側基を含む、５８に記載の紙。
［７７］水溶性ポリマーの疎水変性が約１８以下の炭素原子の少なくとも１つのアルキル側基を含む、５８に記載の紙。
［７８］セルロースエーテルが少なくとも約２．０の置換度を有する、６４に記載の紙。
［７９］セルロースエーテルが少なくとも約３．０の置換度を有する、６４に記載の紙。
［８０］セルロースエーテルが約３．５〜約３．６の置換度を有する、６４に記載の紙。
［８１］サイズ剤が反応性サイズ剤を含む、５８に記載の紙。
［８２］反応性サイズ剤が、アルキルケテンダイマー、アルケニルコハク酸無水物、アルケニルケテンダイマー及びアルケニルケテンマルチマーより成る群から選択される、５８に記載の紙。
［８３］反応性サイズ剤がアルケニルケテンダイマーを含む、８１に記載の紙。
［８４］サイズ剤が液体である、５８に記載の紙。
［８５］サイズ剤が非反応性サイズ剤を含む、５８に記載の組成物。
［８６］サイズ剤がポリマーエマルジョンサイズ剤及びロジンサイズ剤より成る群から選択される、８５に記載の紙。
［８７］少なくとも１種の反応性サイズ剤及び少なくとも１種の非反応性サイズ剤を含む、１に記載の紙。